(57)【特許請求の範囲】
【請求項１】
通水管を挟み少なくとも１対の永久磁石のＮ極とＳ極とを対向に配置し、この永久磁石間の磁力線に対して直角方向の位置に前記通水管を挟んで銅板にニッケル鍍金したものかもしくはニッケル単金属板で構成される常磁性金属板と銅板に銀の鍍金かもしくは銅又は銀の単金属板で構成される反磁性金属板とを配設し、この常磁性金属板と反磁性金属板とを良導電線で結線して接触電池を構成して実施することを特徴とする水の活性化方法。
【請求項２】
前記良導電線は銅、銀、金もしくはカーボンで構成されることを特徴とする請求項１に記載の水の活性化方法。
【請求項３】
通水管を挟み少なくとも１対の永久磁石のＮ極とＳ極とを対向に配置し、この永久磁石間の磁束を挟む位置に且つ前記通水管を挟んで対抗して配設された銅板にニッケル鍍金したものかもしくはニッケル単金属板で構成される常磁性金属板と銅板に銀の鍍金かもしくは銅又は銀の単金属板で構成される反磁性金属板とが良導電線で結線された構造を収容するハウジングを備えていることを特徴とする水の活性化装置。
【請求項４】
前記良導電線は銅、銀、金もしくはカーボンで構成されることを特徴とする請求項３に記載の水の活性化装置。
【発明の詳細な説明】
【技術分野】
【０００１】
本発明は、水の活性化方法および活性化装置に関し、特に、磁力と電気化学処理とを用いた水の活性化方法および活性化装置に関する。
【背景技術】
【０００２】
磁力を用いて水の分子集団を分裂させ、水のクラスター（分子集合体）を小さくして水を活性化させる方法が知られている。例えば、貯留部に溜まった水をろ過装置と磁気処理装置で処理して活性化するシステム（特許文献１参照）、永久磁石を導水管の外部に取り付け、導水管の表面と対称に影像磁石を発生させて流水を活性化する装置（特許文献２参照）、反時計回り、時計回りの磁力線を交互に発生させ、その中を通水することで活性化する装置（特許文献３参照）など、一般的には少なくとも一対の磁石のＳ極とＮ極の間に水を通過させて活性化を行うものである。
【０００３】
しかしこれらの方法で、より効率的に行うためには、強力な磁石を用いる必要があり、磁力を強化する以外に水の活性化の効率を向上する方法はなく、活性化の度合いが低く十分でないという問題があった。
【０００４】
この問題を解決するために、発明者は先にＮ極とＳ極とを対向させた少なくとも一対の永久磁石を通水管を隔てて配設し、この一対の永久磁石の対向面とは逆の面に磁気的に接触して磁性金属または磁性セラミックで成型された一対の凹型ヨークを互いに対向するように所定の間隔を置いて配置し、一対の永久磁石との接触面を除き、一対の凹型ヨーク間の間隔も含めた凹型ヨークの内側に、銅、銀、金の単独鍍金またはこれらの金属の複合鍍金、もしくは、これらの金属の薄板を張り合わせた複合金属板で構成される非磁性導電金属層を貼り付け、一対の凹型ヨーク内面の電位を向上させ、前記通水管内に水を通過させることにより、この流水の方向と前記一対の永久磁石間の磁力線の方向とに垂直な方向に生じる起電流を前記ヨーク内面の電位によって前記通水管方向に反発させ、これにより、前記通水管内の流水に電子を作用させると共に、前記一対の永久磁石間の磁力を作用させて処理を行うことを特徴とする水の活性化装置を提案している。
これにより、永久磁石による磁気的な活性化と電子による電気化学的な活性化とが並行して行われ、磁力と電子の相乗作用によって、磁力のみの活性化方法よりもより効率的で、活性化の度合いが高い活性化が実現され、かつ、漏水の心配のない水の活性化方法が得られる。
【０００５】
【特許文献１】特開２００２−２５４０８２号公報  （第２−６頁、第１図）
【特許文献２】特開２００２−１９２１５９号公報  （第２−３頁、第１図）
【特許文献３】特開２００２−６６５６６号公報  （第３−５頁、第４図）
【特許文献４】特開２００４−１３０２５１号公報
【発明の開示】
【発明が解決しようとする課題】
【０００６】
上述のごとく、従来の水の活性化装置は、磁力を強化する以外に水の活性化の効率を向上する方法がないという問題があり、これを解決するために発明者が先に提案した方法は、これらの問題を解決することができるものの装置構成が大型で高価になるという問題があった。
本発明はこれらの問題を解決して、装置構成が比較的簡単で漏水の心配がなく、かつ、活性化の効率に優れ、廉価に製造できる水の活性化方法およびそれに用いられる水の活性化装置を実現することを課題とする。
【課題を解決するための手段】
【０００７】
本発明は、上記課題を達成するため、通水管を挟み少なくとも１対の永久磁石のＮ極とＳ極とを対向に配置し、この永久磁石間の磁力線に対して直角方向の位置に前記通水管を挟んで銅板にニッケル鍍金したものかもしくはニッケル単金属板で構成される常磁性金属板と銅板に銀の鍍金かもしくは銅又は銀の単金属板で構成される反磁性金属板とを配設し、この常磁性金属板と反磁性金属板とを良導電線で結線して接触電池を構成して実施することを特徴とする水の活性化方法を提供するものである。
【０００９】
また、前記良導電線は銅、銀、金もしくはカーボンで構成されることが望ましい。
【００１０】
また、本発明は、上記課題を達成するため、通水管を挟み少なくとも１対の永久磁石のＮ極とＳ極とを対向に配置し、この永久磁石間の磁束を挟む位置に且つ前記通水管を挟んで対抗して配設された銅板にニッケル鍍金したものかもしくはニッケル単金属板で構成される常磁性金属板と銅板に銀の鍍金かもしくは銅又は銀の単金属板で構成される反磁性金属板とが良導電線で結線された構造を収容するハウジングを備えていることを特徴とする水の活性化装置を提供するものである。
【００１２】
また、前記良導電線は銅、銀、金もしくはカーボンで構成されることが望ましい。
【発明の効果】
【００１３】
これにより、永久磁石による磁気的な活性化と電子による電気化学的な活性化とが並行して行われ、磁力と電子の相乗作用によって、磁力のみの活性化方法よりもより効率的で、活性化の度合いが高い活性化を実現することが可能な水の活性化方法および活性化装置を実現することができる。しかも、装置は小型軽量かつ廉価に実現することができ、永久磁石と電池とを用いているため余分な電力などのエネルギーを供給する必要がなく、また水が通水管から外部に出ることがないので、効率的で漏水の心配のない水の活性化方法および活性化装置が得られる。
【発明を実施するための最良の形態】
【００１４】
以下、本発明を、図面に沿って詳細に説明する。
図１は、本発明の水の活性化装置の構成を示す説明図である。図１において、符号１は通水管、符号２は永久磁石のＮ極、符号３は永久磁石のＳ極、符号４は常磁性金属板、符号５は反磁性金属板、符号６は良導電線である。
この構成では、通水管１を挟み、上下に永久磁石Ｎ極２とＳ極３とを対向に配置し、水平方向には通水管１を挟み、左側には常磁性金属板４、右側には反磁性金属板５を対向に配設し、この常磁性金属板４と反磁性金属板５とを良導電線６で結線して構成する。
【００１５】
反磁性金属板５は電位の高い金属、例えば、銅板に銀の鍍金かもしくは銅又は銀の単金属板で構成され、常磁性金属板４は反磁性金属板５よりも電位の低い金属、例えば、銅板にニッケル鍍金したものかもしくはニッケル単金属板で構成する。この両金属板４、５を良導電線６で結線することによって、これらの金属板４、５はそれぞれ電池の両極の作用をする。良導電線６としては、銅、銀、金もしくはカーボンなどを用いるのが良い。
【００１６】
このように、常磁性金属板４と反磁性金属板５とが電池の作用を果たすために、通水管１内を酸素を含んだ水が通過する際に、微弱な水の電気分解作用によって、水（Ｈ２Ｏ）の酸素原子は常磁性金属板４の方に引き付けられ、逆に水素原子は反磁性金属板５のほうに追いやられる。
【００１７】
これによって、水分子の方向が一定し、水の分子配列が整頓されて水の双極性が高まり水が活性化される。さらに、水中の溶存酸素が微弱な電池作用によって電子を受容することによっても、水が一層活性化される。
【００１８】
一方、流水が磁界の中を通過すると、起電流が流水と直交方向に発生する。この起電流の強度Ｅは、磁束密度Ｂと流水の流速Ｖに比例するもので、以下の数式（数１）によって表すことができる。
【００１９】
Ｅ＝ｋＢＶ・・・・数１
ただし、Ｅは起電流の強度、ｋは定数、Ｂは磁束密度、Ｖは流水の流速である。
【００２０】
このようにして生まれる起電流によって、電子の放出が促進されて流水中に電子が放出される。この起電流を放電損失がないように誘導帯電させ、この帯電により生じた電子を流水中に効率良く放出させることが必要で、電池電極を構成する反磁性金属板５および常磁性金属板４はこの役割をも果たす。
【００２１】
流水中に放出された電子は、水分子（Ｈ2Ｏ）の一部を構成する酸素が電子受容体であるために、この酸素に電荷を与えて水の双極性を高める。即ち、水素原子の結合角を広くなし、これによって水分子間の集合密度が増加し、還元力のある活性水となるので水の酸化還元電位は低下する。
【００２２】
なお、水分子集合体（クラスター）の発生は水素結合に起因するものであるが、電子リッチになると、水分子の酸素原子中の電子と自由電子とが反発して、ファンデルワールスの水の結合力よりこの反発力が勝ったとき、水素結合が切れてクラスターが微細化し、水分子のブラウン運動が活発になる。同時に、流水中に放出された電子は水中の溶存酸素に電荷して酸素アニオンを生成し（Ｏ＋ｅ−→Ｏ−）、これが水と反応してヒドロキシルラジカルを形成し（Ｏ−＋Ｈ２Ｏ＝２ＯＨ）、これによって被処理水を弱アルカリ化する。
【００２３】
以上に述べたように、本発明の水の活性化装置を用いれば、永久磁石による磁気的な活性化と、電子による電気化学的な活性化とが並行して行われ、磁力と電子の相乗作用によって、磁力のみの活性化方法よりもはるかに優れた活性化が行われることになる。
【産業上の利用可能性】
【００２４】
本発明を用いることで、活性化の度合いの高い水が得ることができる。活性化された水は、分子配列が規則正しく、美味で浸透性が高く洗浄効果が高い。また、生態系の新陳代謝を促す機能が高く、植物の成長を助成したり、胃腸の消化吸収を促す機能がある。
したがって、活性化された水は飲料水、生活用水、植物育成水、水耕栽培水、酪農家畜用飲料水、食品化香水、工業用洗浄水などの広い分野で有効に用いることができ、これらに関連した産業の広い分野で、本発明の利用の可能性がある。
【図面の簡単な説明】
【００２５】
【図１】本発明の水の活性化装置の構成を示す図である。
【符号の説明】
【００２６】
１    通水管
２    永久磁石のＮ極
３    永久磁石のＳ極
４    常磁性金属板
５    反磁性金属板
６    良導電線
【図１】
0004637051.tif 000002